(57)【特許請求の範囲】
【請求項１】
ベランダ等の床面に設けられた開口部に嵌装・固定される収納枠内に収納され、緊急時には下階まで伸長することによって避難可能とする避難梯子を有する避難装置において、
上記避難梯子は、手前側の内方及び奥側の外方が開放する角断面部を背中合わせに有する断面略Ｓ字状に形成される縦部材と、該縦部材の奥側の角断面部の下部同士を連結する横部材とからなる複数の梯子ユニットを伸縮可能に連結してなり、
最上段の上記梯子ユニットの縦部材の上端側部を、上記収納枠の一側に突設されたブラケットに回動可能に取り付け、
上段の上記梯子ユニットの縦部材の手前側の角断面部と下段の上記梯子ユニットの縦部材の奥側の角断面部とが摺動可能に重合され、かつ、最上段を除く下段の梯子ユニットの縦部材の奥側の角断面部の上端側の内部に、断面矩形状の合成樹脂製のスライド部材を固設し、避難梯子の伸長状態において、上方に隣接する上段の梯子ユニットの手前側の角断面部の内面が上記スライド部材に摺動可能に接触するように形成してなる、
ことを特徴とする避難装置。
【請求項２】
請求項１記載の避難装置において、
上記スライド部材を下段の梯子ユニットの縦部材の角断面部の隣接する２辺との間に隙間をおいて固設し、上段の梯子ユニットの縦部材の角断面部の隣接する２辺を上記隙間内に摺動可能に挿入してなる、
ことを特徴とする避難装置。
【発明の詳細な説明】
【技術分野】
【０００１】
この発明は避難装置に関するもので、更に詳細には、ベランダ等に設けられた収納枠内に収納され、緊急時には下方に伸長することによって避難可能とする避難梯子を具備する避難装置に関するものである。
【背景技術】
【０００２】
一般に、この種の避難装置として、ベランダ等のスラブに設けられた開口部に固定される収納枠と、この収納枠の床面側及び天井面側にそれぞれ枢着される上蓋及び下蓋と、収納枠内に折り畳まれて収納されると共に上蓋及び下蓋が開放されたとき、階下の床若しくはその付近まで伸長する例えばテレスコープ式等の避難梯子を具備するものが知られている。
【０００３】
上記のように構成される避難装置においては、避難梯子は片持ち支持であるため、梯子の構成部材を軽量化する必要があり、かつ、避難梯子の伸長状態でも最下端部が下階の床面付近に浮いた状態であるため、避難者が降下する際にはどうしても梯子の揺れ、つまり避難者の重量により梯子の下方（足側）が避難者から遠ざかる方向に移動する現象が生じ、円滑な避難を妨げる要因となっている。
【０００４】
そこで、従来では上記揺れを防止するために、梯子に剛性を持たせるべく梯子ユニットは、側面が開放された角断面部を有する一対の縦部材と、この縦部材を連結する横部材と、この横部材に対向すると共に、横部材よりも伸長方向下方において一対の縦部材を連結する補強部材とを備え、補強部材は、伸長方向に幅を有すると共に、梯子が伸長したとき、互いに隣接する梯子ユニットのうち、伸長方向前方に位置する梯子ユニットの横部材が、後方に位置する梯子ユニットの補強部材に掛け止められる構成にしたテレスコープ式のものが知られている（例えば、特許文献１参照）。
【先行技術文献】
【特許文献】
【０００５】
【特許文献１】特開２００８−１０１３４０号公報（特許請求の範囲、図１，図２，図８）
【発明の概要】
【発明が解決しようとする課題】
【０００６】
しかしながら、特許文献１記載の構造のものにおいては、梯子を構成する複数の梯子ユニットが、それぞれ一対の縦部材と、縦部材間に架設される横部材との他に補強部材を備える構造であるため、構成部材が多くなると共に、組立が面倒となり、重量が嵩む上、コストアップ等が懸念される。また、特許文献１記載のものにおいては、縦部材は、一般に金属製部材をプレス加工等により側面が開放された角断面部を有する形状であるため、角断面部の角部の加工精度が十分でない上、摺動部全体が金属製の縦部材同士の接触となるため、伸長の際に各梯子ユニットの左右の縦部材の摺動部にずれが生じると共に、梯子全体にぶれが生じる懸念がある。
【０００７】
この発明は、上記事情に鑑みてなされたもので、梯子の軽量化を図ると共に、梯子に剛性を持たせて、安全に避難することができる避難装置を提供することを目的とする。
【課題を解決するための手段】
【０００８】
上記課題を解決するため、この発明は、ベランダ等の床面に設けられた開口部に嵌装・固定される収納枠内に収納され、緊急時には下階まで伸長することによって避難可能とする避難梯子を有する避難装置において、  上記避難梯子は、手前側の内方及び奥側の外方が開放する角断面部を背中合わせに有する断面略Ｓ字状に形成される縦部材と、該縦部材の奥側の角断面部の下部同士を連結する横部材とからなる複数の梯子ユニットを伸縮可能に連結してなり、  最上段の上記梯子ユニットの縦部材の上端側部を、上記収納枠の一側に突設されたブラケットに回動可能に取り付け、  上段の上記梯子ユニットの縦部材の手前側の角断面部と下段の上記梯子ユニットの縦部材の奥側の角断面部とが摺動可能に重合され、かつ、最上段を除く下段の梯子ユニットの縦部材の奥側の角断面部の上端側の内部に、断面矩形状の合成樹脂製のスライド部材を固設し、避難梯子の伸長状態において、上方に隣接する上段の梯子ユニットの手前側の角断面部の内面が上記スライド部材に摺動可能に接触するように形成してなる、ことを特徴とする（請求項１）。
【００１１】
このように構成することにより、避難梯子を構成する各梯子ユニットを、手前側の内方及び奥側の外方が開放された角断面部を有する一対の断面略Ｓ字状に形成される共通の縦部材と、両縦部材の下部同士を横方向に連結する横部材とで構成することができる。また、合成樹脂製のスライド部材によって上下に隣接する梯子ユニットの縦部材同士が円滑に摺動することができる。更に、避難梯子の伸長状態において、スライド部材によって隣接する梯子ユニットの縦部材の重合部に係る避難者の重量に伴う荷重を分散することができる。
【００１２】
また、請求項２記載の発明は、請求項１記載の避難装置において、上記スライド部材を下段の梯子ユニットの縦部材の角断面部の隣接する２辺との間に隙間をおいて固設し、上段の梯子ユニットの縦部材の角断面部の隣接する２辺を上記隙間内に摺動可能に挿入してなる、ことを特徴とする。
【００１３】
このように構成することにより、縦部材の角断面部の隣接する２辺と合成樹脂製のスライド部材とを摺動可能に接触することができる。
【発明の効果】
【００１４】
この発明によれば、上記のように構成されているので、以下のような優れた効果が得られる。
【００１５】
（１）請求項１記載の発明によれば、避難梯子の構成部材の削減が図れると共に、避難梯子の伸縮を円滑にすることができ、かつ、避難梯子の伸長状態において、スライド部材によって隣接する梯子ユニットの縦部材の重合部に係る避難者の重量に伴う荷重を分散することができるので、避難梯子の軽量化及び剛性が図れると共に、避難梯子の揺れを防止することができ、安全に避難することができる。
【００１６】
（２）請求項２記載の発明によれば、梯子ユニットを構成する縦部材の角断面部の隣接する２辺と合成樹脂製のスライド部材とを摺動可能に接触することができるので、上記（１）に加えて、更に避難梯子の伸縮を円滑にすることができると共に、避難梯子の揺れを防止することができる。
【図面の簡単な説明】
【００１７】
【図１】この発明における避難梯子の使用状態（伸長状態）を示す斜視図（ａ）及び（ａ）のＩ部拡大斜視図（ｂ）である。
【図２】上記避難梯子の使用状態（伸長状態）を示す側面図である。
【図３】上記避難梯子の使用状態（伸長状態）を示す正面図である。
【図４】この発明における梯子ユニットを示す斜視図である。
【図５】この発明におけるストッパ部材とロック部材を示す斜視図（ａ）及び（ａ）のII部拡大斜視図（ｂ）である。
【図６】この発明における縦部材とスライド部材を示す平面図（ａ）及び（ａ）のIII−III線に沿う断面図（ｂ）である。
【図７】上記避難梯子の収縮状態（折り畳み状態）を示す斜視図である。
【図８】この発明における縦部材と横部材の連結部を示す分解斜視図（ａ）及び連結部の拡大断面図（ｂ）である。
【図９】上記避難梯子の収納状態を示す断面図である。
【図１０】図９のIV−IV線に沿う断面図である。
【図１１】上記避難梯子の使用（伸長）手順を示す概略斜視図である。
【発明を実施するための形態】
【００１８】
以下に、この発明に係る避難装置の実施形態を添付図面に基づいて詳細に説明する。
【００１９】
この発明の避難装置は、床、ベランダ等のスラブ１に設けられた開口部１ａに嵌装・固定される方形状の収納枠２と、この収納枠２の１辺の床面側及び天井面側にそれぞれ枢着される上蓋３及び下蓋４と、収納枠２内に折り畳まれて収納されると共に階下の床若しくはその付近まで伸長する避難梯子６（以下に梯子６という）と、この梯子６の伸長降下速度を制御すると共に梯子６を引上げ収納する緩降器７と、上蓋３と下蓋４とを互いに連動して開閉動作させる開閉連動機構８と、伸長状態の梯子６を傾斜状態に保持する吊持用ワイヤ９と、で主要部が構成されている。
【００２０】
上記梯子６は、側面が開放された角断面部６ａ，６ｂを有する一対の金属製の縦部材２０と、両縦部材２０の下部同士を横方向に連結する金属製の横部材２１とからなる複数段（図面では８段の場合を示す）の梯子ユニット６０ａ〜６０ｈを伸縮可能に連結してなると共に、伸長状態において、梯子６の最下端部は下階の床面Ｆに到達しない程度に形成されている。
【００２１】
最上段の梯子ユニット６０ａの縦部材２０の上端側部は、収納枠２の一側２ａに突設されたブラケット３０に回動可能に取り付けられて、梯子６は片持ち支持されている。
【００２２】
また、収納枠２の対向する側面部２ｂ，２ｃと、上段側の梯子ユニットすなわち最上段の梯子ユニット６０ａを構成する両縦部材２０は、可撓性を有する吊持用ワイヤ９にて連結されている。この吊持用ワイヤ９によって伸長時の梯子６が傾斜状態に保持されるように形成されている。
【００２３】
上記縦部材２０は、梯子ユニット６０ａ〜６０ｈの手前側（正面から見た手前側）の内方及び奥側の外方が開放する角断面部６ａ，６ｂを背中合わせに有する断面略Ｓ字状に形成されている。すなわち、縦部材２０は、図６に示すように、中央片２０ａの両端から相対方向に側片２０ｂ，２０ｃが屈曲するクランク状基部２０ｄと、クランク状基部２０ｄの各側片２０ｂ，２０ｃの先端から直交状に屈曲される互いに平行な手前片２０ｅ，奥片２０ｆと、手前片２０ｅ，奥片２０ｆの先端から中央部に向かって直交状に屈曲され、中央片２０ａとの間に開口部２０ｇを形成する折曲片２０ｈ，２０ｉとからなる角断面部６ａ，６ｂを背中合わせに有する断面略Ｓ字状に形成されている。なお、側片２０ｂ，２０ｃの外面に対して折曲片２０ｈ，２０ｉの外面は縦部材２０の板厚分内方側に位置している。
【００２４】
上記一対の縦部材２０の奥側の角断面部６ｂの対向する側片２０ｃに横部材２１が連結されている。この場合、横部材２１は、図５，図７及び図８に示すように、平坦上面片２１ａの長手方向の両側に屈曲される一対の垂下片２１ｂと、両垂下片２１ｂの下端から内方に向かって屈曲される一対の下部水平片２１ｃを有しており、長手方向の端部には一方の垂下片２１ｂの端部から直交状に屈曲される第１の端部垂直片２１ｄと、他方の垂下片２１ｂの端部から内方に直交状に屈曲されると共に第１の端部垂直片２１ｄの外側面に重合される第２の端部垂直片２１ｅとを有する。そして、横部材２１の長手方向の端部の第１及び第２の端部垂直片２１ｄ，２１ｅが縦部材２０の奥側の角断面部６ｂの対向する側片２０ｃにリベット９０をもって連結固定されている。この場合、図８に示すように、縦部材２０の側片２０ｃには例えば絞り加工によって内方側に向かって突出する略小判形状の突部２０ｌが形成されており、この突部２０ｌに穿設された取付孔２０ｍに挿入されるリベット９０が横部材２１の第１及び第２の端部垂直片２１ｄ，２１ｅに穿設された取付孔２１ｆを貫通して、横部材２１の内部でかしめ固定されている。
【００２５】
上記のように形成される梯子ユニット（以下に符号６０で代表する）において、上段の梯子ユニット６０の縦部材２０の手前側の角断面部６ａと下段の梯子ユニット６０の縦部材２０の奥側の角断面部６ｂとが摺動可能に重合されている。
【００２６】
また、最上段を除く下段の梯子ユニット６０の縦部材２０の奥側の角断面部６ｂの上端側の内部に、断面矩形状の合成樹脂製のスライド部材４０が固設されており、梯子６の伸長状態において、上方に隣接する上段の梯子ユニット６０の手前側の角断面部６ａの内面がスライド部材４０に摺動可能に接触するように形成されている（図６参照）。この場合、スライド部材４０の一側面の長手方向の両端側の２箇所に突起部４１が突設されている。これら突起部４１を縦部材２０の奥片２０ｆに設けられた取付孔２０ｊ内に嵌合することで、スライド部材４０が縦部材２０の奥側の角断面部６ｂ内の奥片２０ｆと折曲片２０ｉに接触した状態で固設される。この状態では、スライド部材４０と中央片２０ａ及び側片２０ｂとの間には、隣接する縦部材２０の手前側の角断面部６ａを形成する手前片２０ｅと折曲片２０ｉが摺動可能に挿入できる隙間２０ｋが設けられている（図６（ａ）参照）。
【００２７】
上記のように、梯子ユニット６０の縦部材２０の奥側の角断面部６ｂの上端側の内部に、断面矩形状の合成樹脂製のスライド部材４０を固設し、梯子６の伸長状態において、上方に隣接する上段の梯子ユニット６０の手前側の角断面部６ａの内面がスライド部材４０に摺動可能に接触するように形成することにより、金属部材同士の摺動に比べて隣接する梯子６の収縮を円滑にすることができる。つまり、金属製縦部材２０の角断面部６ａ，６ｂ同士の摺動では、角断面部６ａ，６ｂの角部の高精度の加工が必要であるが、上述のように、合成樹脂製のスライド部材４０と縦部材２０の隣接する２片すなわち手前片２０ｅと折曲片２０ｉを摺動可能に接触することにより、左右の縦部材２０の摺動部にずれを生じることなく円滑に摺動することができる。更に、梯子６の伸長状態においては、梯子６に加わる避難者の重量による荷重をスライド部材４０が圧縮力として分担（分散）するので、梯子６すなわち縦部材２０が変形するのを防止することができる。
【００２８】
また、最上段及び最下段の梯子ユニット６０ａ，６０ｈを除く梯子ユニット６０ｂ〜６０ｇを構成する一対の縦部材２０の上端側には、梯子６の伸長時に上方に隣接する梯子ユニット６０ａ〜６０ｆの横部材２１に係合して梯子のずれを防止するためのストッパ部材５０とロック部材７０が取り付けられている。
【００２９】
すなわち、最上段及び最下段の梯子ユニット６０ａ，６０ｈを除く梯子ユニット６０ｂ〜６０ｇを構成する一対の縦部材２０の奥側の角断面部６ｂの対向する面部に、奥側に突出するストッパ片５１を有するクランク状に屈曲された板状のストッパ部材５０の固定片５０ａが固定ボルト５２をもって固定されている。また、このストッパ部材５０の固定片５０ａには、縦部材２０の長手方向と直交する軸である固定ボルト５２を中心に回動可能であって、先端に係止爪部７１を有するロック部材７０が枢着されると共に、該ロック部材７０の枢着部にロック部材７０の先端部を常時奥側に弾発力を付勢するばね部材７２が装着されている。
【００３０】
上記のように形成されるストッパ部材５０とロック部材７０を設けることによって、梯子６の伸長状態において、ストッパ部材５０のストッパ片５１が隣接する上段の梯子ユニット６０ｂ〜６０ｆ（以下に符号６０で代表する）の横部材２１の上面に当接すると共に、ロック部材７０の係止爪部７１を隣接する上段の梯子ユニット６０の横部材２１の下面に係止して、ストッパ片５１と係止爪部７１とで横部材２１を挟持固定する。したがって、避難時（伸長時）における避難者の重量（荷重）により生ずる梯子６のずれや変形を防止することができる。
【００３１】
なお、ストッパ部材５０には、梯子６が伸長状態から収縮状態に変位する際に、上段のロック部材７０に係合してばね部材７２の弾発力の付勢を解除するロック解除部５３が形成されている。このロック解除部５３は、ストッパ部材５０の固定片５０ａとストッパ片５１間に形成される段部によって形成されている。このようにストッパ部材５０にロック解除部５３を設けることにより、梯子６を伸長状態から収縮状態に変位する際に、下段の梯子ユニット６０のストッパ部材５０に設けられたロック解除部５３が上段のロック部材７０に係合して該ロック部材７０に装着されたばね部材７２の弾発力の付勢を解除することで、梯子６の収縮を容易にすることができる。
【００３２】
上記のようにして収縮された梯子６は各梯子ユニット６０ａ〜６０ｈの縦部材２０が積層された状態で折り畳まれ、上端のブラケット３０による枢着部により収納枠２内に回動された後、上蓋３と下蓋４が閉鎖して収納される（図９参照）。
【００３３】
なお、上蓋３と下蓋４は、それぞれ収納枠２の一側端部にヒンジ３ａ，４ａを介して開閉可能に枢着されており、上蓋３及び下蓋４の両側辺及び収納枠２の対向する側面部２ｂ，２ｃに取り付けられる一対の開閉連動機構８によって上蓋３と下蓋４が互いに連動して開閉動作し得るように構成されている。なお、上蓋３の略中央内面側には、手掛け部５が固設されている。
【００３４】
また、緊急時に上蓋３を開放するラッチ機構８０が設けられている。このラッチ機構８０は、図９に示すように、上蓋３の自由端側の辺に設けられる係止部材８１と、収納枠２の側面部２ｄに設けられ、上蓋３及び下蓋４が閉鎖状態において、係止部材８１と係合可能な係合部材８２とで構成されている。
【００３５】
上記のように構成される避難装置を火災等の緊急時に使用する場合は、まず、ラッチ機構８０の係止部材８１と係合部材８２の係合を解除した後、図１１（ａ）に示すように、上蓋３と下蓋４を開放すると、上蓋３及び下蓋４の開放と同時に、図１１（ｂ）に示すように、梯子６が下蓋４に載った状態で下方に回動する。すると、図１１（ｃ）に示すように、緩降器７により梯子６は制御されながら伸長降下し、下段側の梯子ユニット６０に設けられたストッパ部材５０が上方に隣接する上段の梯子ユニット６０の横部材２１の上面に当接すると共に、ロック部材７０の係止爪部７１が横部材２１の下面に当接して、ストッパ部材５０とロック部材７０とで横部材２１を挟持固定する。この状態で、吊持用ワイヤ９によって梯子６は手前側に傾斜した状態で保持される（図１〜図３参照）。
【００３６】
上記のように、使用時（避難時）には、梯子６は吊持用ワイヤ９によって傾斜状に伸長される。この状態で、避難者が降下すると、梯子６に加わる避難者の重量（荷重）をスライド部材４０によって隣接する梯子ユニット６０の縦部材２０の重合部に係る避難者の重量に伴う荷重を分散することができる。したがって、梯子６の揺れを防止することができ、安全に避難することができる。
【００３７】
なお、梯子６を使用状態（伸長状態）から収縮して収納する場合は、緩降器７のワイヤを巻き取って、最下段の梯子ユニット６０ｈを隣接する梯子ユニット６０ｇに対して相対的に摺動させて上方へ引上げる。この際、下段の梯子ユニット６０の縦部材２０に固定されたストッパ部材５０に設けられたロック解除部５３が上段のロック部材７０に係合して該ロック部材７０に装着されたばね部材７２の弾発力の付勢を解除しながら、各梯子ユニット６０は順次上方側へ引上げられて重ね合わされる。そして、収納枠２内に収納された状態で、上蓋３及び下蓋４が閉鎖される。
【００３８】
また、上記実施形態の避難装置によれば、梯子６を構成する各梯子ユニット６０ａ〜６０ｈを、内方，外方側面が開放された角断面部６ａ，６ｂを有する一対の縦部材２０と、両縦部材２０の下部同士を連結する横部材２１とで構成することができると共に、従来の上端部のみで吊持する梯子に比べて縦部材２０の剛性を低減させることができるので、梯子の軽量化が図れると共に、コストの低廉化が図れる。
【符号の説明】
【００３９】
１  スラブ
２  収納枠
２ａ  収納枠の一側
６，６Ａ  避難梯子
６ａ，６ｂ  角断面部
９  吊持用ワイヤ
２０  縦部材
２１  横部材
２０ｇ  開口部
２０ｊ  取付孔
２０ｋ  隙間
４０  スライド部材
４１  突起部
５０  ストッパ部材
５０ａ  固定片
５１  ストッパ片
５３  ロック解除部
６０，６０ａ〜６０ｈ  梯子ユニット
７０  ロック部材
７１  係止爪部
７２  ばね部材
【図１】
0005500625.tif 000002
【図２】
0005500625.tif 000003
【図３】
0005500625.tif 000004
【図４】
0005500625.tif 000005
【図５】
0005500625.tif 000006
【図６】
0005500625.tif 000007
【図７】
0005500625.tif 000008
【図８】
0005500625.tif 000009
【図９】
0005500625.tif 000010
【図１０】
0005500625.tif 000011
【図１１】
0005500625.tif 000012